(57)【要約】      （修正有）【課題】簡単に運搬コスト負担が低減できる液体運搬用容器を提供する。【解決手段】液体を収納するプラスチックスから成る液体収納容器１と、この液体収納容器１から容器内の液体を外部に注入する注入ノズル１１とを設けた液体運搬用容器１２で、液体収納容器１は、直方体形状から成り、上面の端部側の略中央に内部の液体を外部に注入するための注入口３と、端部側の前側面と下面との交差部に下部把持部と、上面と後側面との交差部に上部把持部１０を設け、複数の液体収納容器１と注入ノズル１１とを組み合わせて運搬する。【選択図】図４
0003183920.tif 000002
【実用新案登録請求の範囲】
【請求項１】
液体を収納するプラスチックスから成る液体収納容器と、この液体収納容器から容器内の液体を外部に注入する注入ノズルとを収納した液体運搬用容器で、
液体収納容器は、直方体形状から成り、上面の端部側の略中央に内部の液体を外部に注入するための注入口と、上記端部側の前側面と下面との交差部に下部把持部と、上記上面と後側面との交差部に上部把持部を設け、
前記複数の液体収納容器と前記注入ノズルとを組み合わせて収納して運搬することを特徴とする液体運搬用容器。
【請求項２】
液体収納容器の上部把持部と下部把持部とは外形形状がコ字状から成り、左右間の把持片には舌片が形成されている請求項1記載の液体運搬用容器。
【考案の詳細な説明】
【技術分野】
【０００１】
本考案は液体運搬用容器で、複数の液体収納容器を搬送する液体運搬用容器に関する。
【背景技術】
【０００２】
従来、液体運搬用容器としては、例えば、特開2005−82184号公報記載のものがあり、この容器は、本体の下面と上面に突起を形成し、容器を上下に積み重ねた際、外圧方向にかかわらず上下の容器のずれを防止するもので、また、特開2000−272661号公報記載のものは、容器本体と蓋体を備え、この容器本体に液体充填プラスチック製袋を収納して運搬する運搬用容器で、袋を密閉状態で収納し、袋の口栓を容易に露出させて内容液を安定的に注入できるようにしたもので、また、特開平8−26338号公報記載のものは、折り畳み可能な容器に、液体袋を収納し、容器の反復使用を可能とすることにより、廃棄問題及び省資源問題に対応するものである。
【先行技術文献】
【特許文献】
【０００３】
【特許文献１】特開2005−82184号公報
【特許文献２】特開2000−272661号公報
【特許文献３】特開平8−26338号公報
【考案の概要】
【考案が解決しようとする課題】
【０００４】
このように、従来の液体運搬用容器は、本体の下面と上面に突起を形成し、容器を上下に積み重ねた際、外圧方向にかかわらず上下の容器のずれを防止するもので、丈夫に製作する必要が有り、コストもかかり、また、袋を密閉状態で収納し、袋の口栓を容易に露出させて内容液を安定的に注入できるようにしたものでは、密閉状態にするには、その容器の製作に労力がかかり、また、折り畳み可能な容器に、液体袋を収納し、容器の反復使用を可能とするには、製作コストがかかり、簡単に運搬できれば好適である。
更に、液体の比重が1.0以上の場合に、その一袋の重量に法的制限が有る場合には、液体運搬用容器は、小型化して数量が多くなり、運搬コストが負担となると言うこともある。
【０００５】
本考案は、簡単に運搬コスト負担が低減できる液体運搬用容器を提供することを目的とする。
【課題を解決するための手段】
【０００６】
本考案に係る液体運搬用容器は、液体を収納するプラスチックスから成る液体収納容器と、この液体収納容器から容器内の液体を外部に注入する注入ノズルとを収納した液体運搬用容器で、液体収納容器は、直方体形状から成り、上面の端部側の略中央に内部の液体を外部に注入するための注入口と、上記端部側の前側面と下面との交差部に下部把持部と、上記上面と後側面との交差部に上部把持部を設け、
前記複数の液体収納容器と前記注入ノズルとを組み合わせて収納して運搬するものである。
【０００７】
この液体運搬用容器では、複数の液体収納容器と注入ノズルを組み合わせて収納することにより、効率的に運搬でき、省力化が図られ、また、注入ノズルを液体収納容器ごとに備える必要なく、注入ノズルの使い回しができ、コスト低減も図ることができる。更には、液体収納容器は直方体形状から成るので、液体運搬用容器に収納し易く、液体収納容器の収納作業が容易化し、液体収納容器には、上面と後面側の交差部に上部把持部が設けられているの、その上部把持部を把持することにより、液体運搬用容器からの取り出し作業がし易くなる。また、液体収納容器を取り出して、注入口から注入ノズルにより内部の液体を注入する際には、上部把持部と下部把時部を両手でそれぞれ把持して傾ければ、容易に注入作業ができる。具体的には、上部把持部を持ち、下部把時部を後方向に移動させれば、内部の液体の注入が簡単に行える。
【０００８】
液体収納容器の上部把持部と下部把持部とは外形形状がコ字状から成り、コ字状の左右間の把持片には舌片が形成されていることが好ましく、把持する際に、把持片間の舌片がクッションとなって、把持し易くなる。
【考案の効果】
【０００９】
本考案によれば、簡単に運搬コストをかけることなく液体収納容器を運搬できる液体運搬用容器が得られる。
【図面の簡単な説明】
【００１０】
【図１】本考案に係る液体運搬用容器に収納する液体収納容器の斜視図である。
【図２】図1に示す液体収納容器の把持部の拡大斜視図である。
【図３】図2に示す把持部を手で把持した際の斜視図である。
【図４】図1に示す液体収納容器を収納した液体運搬用容器の斜視図である。
【考案を実施するための形態】
【００１１】
本考案に係る一実施例を図1乃至図4に基づいて説明する。
液体収納容器１は、直方体形状から成り、上面２の端部側の略中央に内部の液体を外部に注入するための注入口３と、端部側の前側面４と下面５との交差部６に下部把持部７と、上面２と後側面８との交差部９に上部把持部１０を設けて成る。
なお、注入口３には、蓋体３ａが取り付けられ、注入口３は蓋体３ａにより閉じられている。
本実施例では、液体として、例えば、トラックなどに使用するディーゼル機関排ガス清浄用還元剤である高品位尿素水を収納する場合につき説明する。
この尿素水は、その比重が1.09で、特に、尿素水の販売場所である、例えば、ガソリンスタンド等では、女性がこの尿素水を収納した液体収納容器を持つには、法的重量制限があり、所定量以上の尿素水を液体収納容器に収納することができず、本実施例においては、液体収納容器は尿素水が10リッター収納できる場合につき説明する。
また、この液体収納容器は、プラスチック製の容器で、その素材は軟質性合成樹脂、例えば、ポリエチレン、ポリプロピレン、塩化ビニール等の樹脂から成っている。
【００１２】
液体収納容器１の上部把持部１０は、図2に示すように、外形形状がコ字状から成り、左右の把持片１０ａ、１０ａ間の水平把持片１０ｂには、舌片１０ｃが形成されている。
この舌片１０ｃは、図示するように、左右の把持片１０ａ、１０ａ間の水平把持片１０ｂに連接し、左右の把持片１０ａ、１０ａ間に延出して形成されている。
すなわち、舌片１０ｃの基端が水平把持片１０ｂに連接し、舌片１０ｃの左右は左右の把持片１０ａ、１０ａとは離間して、舌片１０ｃの先端が左右の把持片１０ａ、１０ａ間に延出しているので、水平把持片１０ｂに舌片１０ｃを巻き込むことができる。
【００１３】
液体収納容器１の下部把持部７は、上部把持部１０と同様に、外形形状がコ字状から成り、左右の把持片７ａ、７ａ間の水平把持片７ｂには、舌片７ｃが形成されている。
この舌片７ｃは、前記した上部把持部１０と同様に、左右の把持片７ａ、７ａ間の水平把持片７ｂに連接し、左右の把持片７ａ、７ａ間に延出して形成されている。
すなわち、舌片７ｃの基端が水平把持片７ｂに連接し、舌片７ｃの左右は左右の把持片７ａ、７ａとは離間して、舌片７ｃの先端が左右の把持片７ａ、７ａ間に延出しているので、水平把持片７ｂに舌片７ｃを巻き込むことができる。
【００１４】
液体運搬用容器１２には、図４に示すように、液体収納容器１が２体収容されると共に、１本の注入ノズル１１が組み合わせて収納されて運搬される。
液体収納容器１は２体として説明しているが、これに限られず、複数の場合であっても運搬可能であるが、複数の液体収納容器１であっても、注入ノズル１１は１本で足りることは言うまでもない。また、この液体運搬用容器１２は、例えば、段ボール製で、その場合には、製作コスト低減化が図られる。液体運搬用容器１２は段ボール製に限られず、液体収納容器１を収納することができる素材であれば、特にその素材については限定せず、例えば、合成樹脂素材、硬質プラスチック製であってもよい。
【００１５】
液体収納容器１には比重が1.09の尿素水が１０リッター収納されているので、重量は10.9キログラムで、例えば、女性であっても法的制限内なので容易に持ち運びできる。
【００１６】
この液体運搬用容器１２では、図4に示すように、液体収納容器１を取り出す際、液体収納容器１の上部把持部１０が突出しているので、この上部把持部１０を把持して、液体収納容器１が取り出せる。
その際、上部把持部１０は、図３に示すように、左右の把持片１０ａ、１０ａ間の水平把持片１０ｂには、舌片１０ｃが形成され、この舌片１０ｃは、図示するように、左右の把持片１０ａ、１０ａ間の水平把持片１０ｂに連接し、左右の把持片１０ａ、１０ａ間に延出して形成され、舌片１０ｃの基端が水平把持片１０ｂに連接し、舌片１０ｃの左右は左右の把持片１０ａ、１０ａとは離間して、舌片１０ｃの先端が左右の把持片１０ａ、１０ａ間に延出しているので、水平把持片１０ｂに舌片１０ｃを巻き込むことができ、舌片１０ｃがクッションとなり、把持し易く取り出しやすくなる。
【００１７】
その後、液体収納容器１から内部の尿素水を注入する際は、注入口３から蓋体３ａを取り外し、注入ノズル１１を注入口３に差込み、上部把持部１０と下部把時部７を把持し、上部把持部１０を注入口３側に、下部把時部７を後ろ方向に傾ければ、注入ノズル１１から尿素水を注入することができ、容易に注入作業ができる。
また、上部把持部１０、下部把持部７は注入口３から離れた位置に形成しているので、注入作業の際には、液体が触れる虞が少なく、手を汚すことなく、液体注入作業ができる。
上部把持部１０、下部把時部７には舌片１０ｃ、７ｃが形成されているので、把持する際には、この舌片１０ｃ、舌片７ｃがクッションとなり、把持し易くなる。
また、注入ノズル１１は使い回しすることができるので、省資源化が図られるという利点もある。
【００１８】
上記では、上部把持部１０と下部把時部７は上面と後側面との交差部、前側面と下面の交差部に設けた場合につき説明したが、上面と前側面の交差部、後面と下面の交差部にそれぞれ設けてもよい。
上部把持部１０、下部把時部７は注入口３に対して対向位置に設けるのが好適で、対向位置であれば、注入作業がし易くなる。
更に、注入口３が液体収納容器１の上面２の角部に設けられた際には、上部把持部は注入口３とは反対の１８０度移動した上面の角部に交差部、下部把時部は注入口３の下の下面の角部の交差部に設ければよい。
【符号の説明】
【００１９】
１は液体収納容器
７は下部把時部
７ｃは舌片
１０は上部把持部
１０ｃは舌片
１１は注入ノズル
１２は液体運搬用容器
【図１】
0003183920.tif 000003
【図２】
0003183920.tif 000004
【図３】
0003183920.tif 000005
【図４】
0003183920.tif 000006